(57)【要約】  【課題】  便器の便座取付孔の間隔及び縦寸法が取り付ける便座の規格サイズに合わない場合であっても、その取付を可能とする便座取付コネクターを提供する。  【解決手段】  裏面部中央長手方向に断面略Ｔ字形の案内長溝を、また、中央部左右対称位置に便座本体に設けられている対の取付用ボルト孔に対応した一対又は複数対の螺子孔を備えてなるコネクタープレートと、前記案内長溝に挿嵌可能で移動自在な頭部断面形状をなすスライドボルトから構成され、前記案内長溝内に挿嵌した前記スライドボルトの設定位置を、取り付ける便器のサイズに応じ適宜調整可能とした便座取付コネクターを便器と便座本体との間に介設させる。  【選択図】  図１
2007029347.tif 000002
【特許請求の範囲】
【請求項１】
裏面部中央長手方向には断面略Ｔ字形の案内長溝を有し、中央部左右対称位置には取り付ける便座の取付用ボルト孔に対応した一対又は複数対の螺子孔を穿設してなるコネクタープレートと、該コネクタープレートの案内長溝に挿嵌可能で移動自在な頭部断面形状をなす対のスライドボルトからなり、前記案内長溝内に挿嵌された前記両スライドボルトの設定位置を、取り付ける便器のサイズに応じ適宜調整可能としたことを特徴とする便座取付コネクター。
【請求項２】
前記コネクタープレートに穿設してなる螺子孔を前後方向に穿設された一対の長孔としたことを特徴とする請求項１記載の便座取付コネクター。
【請求項３】
洋式便器に載置固定して使用される便座において、請求項１及び請求項２のいずれかに記載された便座取付コネクターの構成を含むことを特徴とする便座。
【発明の詳細な説明】
【技術分野】
【０００１】
本発明は、洋式（腰掛け式）便器に載置固定して使用する便座、主に、洗浄機能付き便座の取付コネクターに関する。
【背景技術】
【０００２】
図６は附属のベースプレート１０５を介して洗浄機能付き便座１１０を便器１００に取り付ける従来例を示す斜視図、図７は日本で広く使用されている国内型便器の寸法説明図である。以下、図６及び図７に基づいてその取付方の概略を説明する。１００は便器、１１０は便座本体１１１及び便蓋１１２からなる便座、１０５は便座１１０に附設されているベースプレートである。便座１１０を便器１００に取り付けるには、便器１００の後方上面部に穿設されている一対の便座取付孔１０１及び１０２に、該便座取付孔１０１及び１０２に対応する一対のボルト孔１０３及び１０４を有するベースプレート１０５を、先端部分にゴムブッシュ１０７を差し込んだ取付ボルト１０６により固定する。続いて、ベースプレート１０５の上面部左右適宜位置に設けられた一対のガイド片１０８及び１０９に、該ガイド片１０８及び１０９に対応するよう便座本体１１１の後方部底面に設けられている嵌合溝（図示せず）をスライドさせながら嵌め込むことによって行われている。
【０００３】
上記のように、最近では、便器１００に洗浄機能付き便座１１０を取り付けるに当たって、便座本体１１１を直接便器１００に取り付けるのではなく、予めベースプレート１０５を取付ボルト１０６により便器１００の後方部上面に固定しておき、この固定されたベースプレート１０５に便座本体１１１をスライド嵌合させる方法が広く採用されている（以下、このような便座を「簡易取付型便座」という。）。このような簡易取付型便座にあっては、通常便座から洗浄機能付き便座に、また、旧型の洗浄機能付き便座から新型の洗浄機能付き便座に取り替えることが極めて容易となっている。
【０００４】
現在、日本国内で広く普及している便器（以下、「国内型便器」という。）には、大型サイズの便器と標準サイズの便器の２種類があり、大型サイズの便器は、便器の後方上面部に設けられた便座取付孔１０１及び１０２の孔中心から便器上面部の先端までの長さ（以下、この長さを「便器縦寸法」という。）が約４７０ｍｍとなっており、また、標準サイズの便器は、この便器縦寸法が約４４０ｍｍとなっている。そして、便器１００の後方部に穿設されている一対の便座取付孔１０１及び１０２の間隔（以下、この間隔を「便座取付孔間隔」という。）は、大型サイズも標準サイズも同じ１４０ｍｍに統一されている（図７参照）。
【０００５】
現在、日本国内においては、このような便器縦寸法の異なる２種類の国内型便器に対応するため、洗浄機能付き便座もそれぞれの便器サイズに対応させたものが提供されており、また、ベースプレート１０５に設けるボルト孔１０３及び１０４を、便器縦寸法の差（３０ｍｍ）分だけ前後にずらし、それぞれ２穴ずつ二対のボルト孔１０３ａ、１０３ｂ及び１０４ａ、１０４ｂを備え、便器の縦寸法に応じて前後何れか一対のボルト孔を利用することにより、いずれのサイズの便器にも適用可能としたものも提供されている（図７参照）。
【特許文献１】特開平９−３０８５９５号公報
【特許文献２】特開平１１−１９７０６１号公報
【特許文献３】特開平１１−２９９６９３号公報
【特許文献４】特開２００２−２４２２６１号公報
【発明の開示】
【発明が解決しようとする課題】
【０００６】
前記のとおり、従来より提供されている日本製の洗浄機能付き便座にあっては、簡易取付型便座であっても便器に直接便座本体を取り付ける形式の便座（以下、このような便座を「直付型便座」という。）であっても、いずれも国内型便器の規格サイズに対応したものとなっている。したがって、外国で使用されている大型サイズの便器には適用できない場合が多く、特に、便座取付孔の間隔が１４０ｍｍ以外の便器には全く適用できないという不都合がある。
【０００７】
本発明は、上記問題点を解決するためになされたもので、便器がいかなるサイズのものであっても、便座を便器に容易に取り付けることができる便座取付コネクターを提供することを課題とする。
【課題を解決するための手段】
【０００８】
上記課題を解決するため、便器と便座本体（直付型便座の場合）若しくは便器とベースプレート（簡易取付型便座の場合）の間に便座取付コネクターを介在させることとし、請求項１の発明にあっては、その裏面部中央長手方向に断面略Ｔ字形の案内長溝を、また、中央部左右対称位置に取り付ける便座の取付用ボルト孔に対応した一対又は複数対の螺子孔を備えてなるコネクタープレートと、該」コネクタープレートの案内長溝に挿嵌可能で移動自在な頭部断面形状をなす対のスライドボルトから構成され、前記案内長溝内に挿嵌された前記両スライドボルトの設定位置を、取り付ける便器のサイズに応じ適宜調整可能としたことを特徴とする便座取付コネクターとした。
【０００９】
請求項２の発明にあっては、前記コネクタープレートに穿設してなる螺子孔を前後に穿設された一対の長孔としたことを特徴とする請求項１に記載の便座取付コネクターとした。
【００１０】
請求項３の発明にあっては、洋式便器に載置固定して使用される便座において、請求項１及び請求項２のいずれかに記載の便座取付コネクターの構成を含むことを特徴とする便座とした。
【発明の効果】
【００１１】
このような特徴を有する本発明にかかる便座取付コネクターによれば、一対のスライドボルトがコネクタープレート裏面に穿設されている案内長溝に沿って移動自在であるため、取り付ける便器の便座取付孔間隔がどのような寸法であっても所望の便座を容易に取り付けることができる。
【００１２】
また、コネクタープレートに穿設した螺子孔が複数対である場合、又は、該螺子孔を前後に穿設された一対の長孔とした場合にあっては、本発明にかかる便座取付コネクターを介在させることにより、便座本体の取付縦位置を自在に調整できるため、便器縦寸法がどのような便器であっても所望の便座を取り付けることができる。
【実施例】
【００１３】
本実施例は、ベースプレート１０５を用いるタイプ（簡易取付型）の洗浄機能付き便座を便器に取り付ける場合であるが、このようなベースプレート１０５を介在させず、便座本体１１１を便器１００に直づけするタイプ（直付型）の便座の場合であっても、取付ボルト１０６を便器１００に設けられている便座取付孔１０１及び１０２に差し込むことによって便座１１０を便器１００に載置固定するという原理的構造に何ら変わることはない。したがって、本発明による便座取付コネクターが上記いずれのタイプの便座にも適用可能であることはいうまでもない。
【００１４】
なお、背景技術の項でも説明したように、国内型便器は、大型サイズのものでも標準サイズのものでも、便座取付孔間隔はいずれも１４０ｍｍに設定されており、また、国内型便器の便器縦寸法は、大型サイズのもので４７０ｍｍ、標準サイズもので４４０ｍｍとなっている（図７参照）。したがって、日本製の洗浄機能付き便座は、上記のような国内型便器に対応しているのが通例で、この場合、本発明の取付コネクターは必要としない。しかしながら、欧米やロシアなど外国で使用されている外国型便器については、殆どその便座取付孔間隔が１４０ｍｍ以上となっていて、このような外国型便器に日本製の洗浄機能付き便座を取り付けるには本発明の便座取付コネクターが有用となる。
【００１５】
以下、日本製の洗浄機能付き便座を外国型便器に取り付ける場合の本発明の実施例について図面を参照にして説明する。なお、便器及び便座についての各符号及び簡易型便座に附属するベースプレートに関する符号は、背景技術の項で使用した図６及び図７の符号をそのまま使用する。
【００１６】
図１は、本発明の一実施例である便座取付コネクター１を示した斜視図である。便座取付コネクター１は、横長方形の合成樹脂素材などからなる板状のコネクタープレート２と、スライドボルト３、３′と、ゴムブッシュ４、４′と、固定ボルト５、５′とによって部材構成され、必要に応じて座金９、９′及びナット１０、１０′等（図２に示す）の部材を適宜使用する。そして、コネクタープレート２には、その裏面部中央長手方向に案内長溝６が設けられ、また、中央部左右対称位置に１４０ｍｍ間隔での複数対の螺子孔７及び８が穿設されている。
【００１７】
図示のとおり、コネクタープレート２の裏面に穿設された案内長溝６は、スライドボルト３、３′の頭部分の形状に対応する横断面略Ｔ字状をなし、スライドボルト３、３′がその頭部をもって当該案内長溝６に挿嵌可能で、且つ、移動自在な形状寸法をなす。図示実施例においては、スライドボルト３、３′の頭部が４角形状となっているが、本発明は特にこれに限定されるものではなく、スライドボルト３、３′の頭部が案内長溝６から脱落しない程度に嵌装でき、尚且つ、案内長溝６に沿って移動可能な形状寸法のものであればよい。
【００１８】
また、１４０ｍｍ間隔にて穿設されている複数対の螺子孔７及び８は、図２で示すように、これらを連続させて一対の長孔７ａ、８ａとしてもよく、この場合、固定ボルト５、５′は、平行な適宜位置において長孔７ａ及び８ａを貫通させナット１０、１０′によって螺着固定する。この場合、固定ボルト５、５′の固定位置がズレを防止するため、ゴム材など摩擦抵抗の高い弾性素材からなるパッキンリング１１、１１′を裏座面とナット１０、１０′との間に介在させる等の手段を講じるのが好ましい。
【００１９】
次に、図３に基づき本発明にかかる取付コネクター１を用いた便座取付方法について具体的に説明する。１００は外国型の便器で、間隔が１４０ｍｍを超える便座取付孔１０１及び１０２を備える。１１０は国産の簡易取付型の洗浄機能付き便座で、便座本体１１１及び便蓋１１２と、附属のベースプレート１０５からなる。ベースプレート１０５には、国内型便器の規格寸法に対応するよう１４０ｍｍ間隔でのボルト孔１０３及び１０４が設けられ、また、便座本体１１１の後方部底面に設けられている嵌合溝（図示せず）に対応するよう上面部左右両側にガイド片１０８及び１０９が形成されている。
【００２０】
先にも説明したように、国内型便器に当該便座１１０を取り付けるには、ベースプレート１０５に穿設されている対のボルト孔１０３及び１０４と国内型便器に設けられている対の便座取付孔のピッチが１４０ｍｍで一致しているので本発明の便座取付コネクター１は特に必要としない。しかし、外国型便器１００に設けられている便座取付孔１０１及び１０２の間隔は１４０ｍｍを超えているのが通例であって、国産の便座１１０をそのまま取り付けることはできない。
【００２１】
そこで、外国型便器１００に国産の洗浄機能付き便座１１０を取り付けるには、ベースプレート１０５と便器１００との間に便座取付コネクター１を介装させなければならない。そのためには先ず、便座取付コネクター１とベースプレート１０５とを合着させる。図４はその合着状態を示した断面図で、コネクタープレート２に穿設されている螺子孔７及び８のうち、便器１００の便器縦寸法に対応する一対の螺子孔７及び８を選定し、これとベースプレート１０５に設けられたボルト孔１０３及び１０４とを合わせ、固定ボルト５、５′によって螺着固定する。
【００２２】
次に、スライドボルト３、３′をゴムブッシュ４、４′に差し込み、スライドボルト３、３′をその頭部をもってコネクタープレート２の裏面に設けられた案内長溝６にそれぞれ挿嵌する。そして、挿嵌された両スライドボルト３、３′の間隔を便器１００の便座取付孔１０１及び１０２の間隔に合わせ、また、便器１００の左右中間になるよう位置調整してスライドボルト３、３′に差し込まれたゴムブッシュ４、４′の部分を便器１００の便座取付孔１０１及び１０２に差し込む。これによって合着した取付コネクター１とベースプレート１０５とは、ベースプレート１０５を上側にして便器１００に固定される。
【００２３】
続いて便座１１０をベースプレート１０５に取り付ける。便座１１０の取付は、背景技術の項で説明した従来例の場合と同様で、ベースプレート１０５の上面部左右適宜位置に設けられた一対のガイド片１０８及び１０９に、該ガイド片１０８及び１０９に対応するよう便座本体１１１の後方部底面に設けられている嵌合溝（図示せず）を押し込むようにして嵌め込むことによって行う。
【００２４】
このようにして便座１１０は便器１００に載置固定されるのであるが、
本発明にかかる便座取付プレート１を利用して便座１１０を便器１００に取り付けた場合、便座取付プレート１の板厚分、便器１００と便座本体１１１との間に隙間ができ便座１１０が前方向に若干傾斜する。この程度の隙間や傾斜があっても、実際に使用するに当たって特段の不都合はないが、これを解消するには、便座本体１１１の裏面に弾性材からなる調高片（図示せず）を適宜箇所に貼着するなどの手段を講ずればよい。
【００２５】
以上、本発明の一実施例について説明したが、実施例はこれに限られることはなく、本発明の技術的思想の範囲内で様々に変形可能である。例えば、上記実施例では、コネクタープレート２に設けた案内長溝６を左右両端に通ずる１本の長溝としたが、外国型便器に設けられている便座取付孔の間隔は通例１４０ｍｍ以上あるので、図５で示すように、案内長溝を螺子孔７、８間を除く左右２本の案内長溝６ａ及び６ｂとしてもよい。
【図面の簡単な説明】
【００２６】
【図１】本実施例発明である便座取付プレートを示す斜視図。
【図２】螺子孔を長孔とした場合の本実施例発明である便座取付プレートを示す斜視図。
【図３】本実施例発明である便座取付プレートを使用しての便座取付方を示す説明図。
【図４】同上の取付状態を示す部分断面図。
【図５】左右２本の案内長溝とした便座取付プレートを示す斜視図。
【図６】便座を便器に取り付ける従来例を示す斜視図。
【図７】国内型便器の寸法説明図。
【符号の説明】
【００２７】
１：便座取付コネクター
２：コネクタープレート
３：スライドボルト
４：ゴムブッシュ
５：固定ボルト
６：案内長溝
７、８：螺子孔
１００：便器
１０１、１０２：便座取付孔
１０３、１０４：ボルト孔
１０５：ベースプレート
１０６：取付ボルト
１０７：ゴムブッシュ
１０８、１０９：ガイド片
１１０：便座
１１１：便座本体
１１２：便蓋
【図１】
2007029347.tif 000003
【図２】
2007029347.tif 000004
【図３】
2007029347.tif 000005
【図４】
2007029347.tif 000006
【図５】
2007029347.tif 000007
【図６】
2007029347.tif 000008
【図７】
2007029347.tif 000009